(57)【要約】      （修正有）【課題】爪磨ぎ、遊び、休憩・睡眠、抜け毛と落ちた紙くずのクリーニングの機能を同時にそなえる、嵌め継ぎ式猫爪とぎを提供する。【解決手段】基板１１と複数の側板１２と複数の上の板１３とを有し、基板に複数の突出部分があり、複数の側板には複数の突出部分と複数の溝穴部分があり、上の板には複数の溝穴があり、順序にそって側板の溝穴と上の板の溝穴に基板の突出部分が通され、立体的な木型に形成されてなる。【選択図】図１
0003206416.tif 000002
【実用新案登録請求の範囲】
【請求項１】
嵌め継ぎ式猫爪とぎであって、
基板を有し、前記基板は第一面と、前記第一面に対応する第二面と、ならびに前記第一面と前記第二面とを接合する、第一辺、第二辺、第三辺、および第四辺と、を備え、前記第一辺と前記第二辺が対応し、前記第三辺と前記第四辺が対応し、前記第一辺、前記第二辺、前記第三辺、および前記第四辺は複数の突出部分を備え、
複数の側板を有し、前記複数の側板は第一面と、前記第一面に対応する第二面と、ならびに前記第一面と前記第二面を接合する、第一辺、第二辺、第三辺、および第四辺と、を備え、前記第一辺と前記第二辺が対応し、前記第三辺と前記第四辺が対応し、前記第三辺が前記第二辺と前記第四辺の両辺を接合し、前記第一辺には前記第一面から前記第二面に至る複数の溝穴を備え、前記第二辺と前記第四辺にはともに複数の突出部分を備え、
複数の上の板を有し、前記複数の上の板は第一面と、前記第一面に対応する第二面と、ならびに前記第一面と前記第二面を接合する、第一辺、第二辺、第三辺、および第四辺と、を備え、前記第一辺が前記第二辺に対応し、前記第三辺が前記第四辺に対応し、前記第一辺、前記第二辺、および前記第三辺には前記第一面から前記第二面に至る複数の溝穴を備え、
前記基板の前記第一辺と前記基板の前記第二辺の突出部分は前記側板の前記第一辺の前記溝穴に通され、前記側板の前記第二辺と前記側板の前記第四辺の突出部分はそれぞれ前記上の板の前記第二辺と前記上の板の前記第一辺の前記溝穴に通され、前記基板の前記第三辺と前記基板の前記第四辺の前記突出部分はそれぞれ前記上の板の前記第三辺の前記溝穴に通されることで、立体型が形成されていることを特徴とする、
嵌め継ぎ式猫爪とぎ。
【請求項２】
前記基板、前記側板、および前記上の板がダンボール紙からなることを特徴とする、請求項１に記載の嵌め継ぎ式猫爪とぎ。
【請求項３】
前記複数の側板の前記第一面が相互に対応し、前記複数の上の板の前記第一面と前記基板の前記第一面が対応することを特徴とする、請求項１に記載の嵌め継ぎ式猫爪とぎ。
【請求項４】
前記基板の前記第一面、前記複数の側板の前記第一面、および前記複数の上の板の前記第一面が、波状表面、またはハニカム状の表面であることを特徴とする、請求項１に記載の嵌め継ぎ式猫爪とぎ。
【請求項５】
前記基板の前記第一辺の長さと前記基板の前記第二辺の長さが等しく、前記基板の前記第三辺の長さと前記基板の前記第四辺の長さが等しく、前記基板の前記第一辺の長さが前記基板の前記第三辺の長さより長く、前記基板の前記第一辺の長さと前記側板の前記第一辺の長さが等しいことを特徴とする、請求項１に記載の嵌め継ぎ式猫爪とぎ。
【請求項６】
前記基板の前記第一辺と前記基板の前記第二辺の両辺の突出部分の数と、前記複数の側板の前記第一辺の溝穴の数が等しく、前記基板の前記第三辺と前記基板の前記第四辺の両辺の突出部分の数と、前記複数の上の板の前記第三辺の溝穴の数が等しく、前記複数の側板の前記第二辺と前記複数の側板の前記第四辺の両辺の突出部分の数と、前記複数の上の板の前記第二辺の溝穴の数と、前記複数の上の板の前記第一辺の溝穴の数とが等しいことを特徴とする、請求項１に記載の嵌め継ぎ式猫爪とぎ。
【請求項７】
前記側板の前記第一辺の形が円弧状であることを特徴とする、請求項１に記載の嵌め継ぎ式猫爪とぎ。
【請求項８】
前記上の板の前記第四辺の形が猫の足の裏の形であることを特徴とする、請求項１に記載の嵌め継ぎ式猫爪とぎ。
【請求項９】
その立体形状が船の形であることを特徴とする、請求項１に記載の嵌め継ぎ式猫爪とぎ。
【請求項１０】
前記基板、前記複数の側板、前記複数の上の板を切る道具がステンレスブレードであることを特徴とする、請求項１に記載の嵌め継ぎ式猫爪とぎ。
【考案の詳細な説明】
【技術分野】
【０００１】
本考案は猫爪とぎに係り、特に嵌め継ぎ式の猫爪とぎに係る。                
【背景技術】
【０００２】
現在社会では、ペット（猫，犬，ウサギ等）は単純な友達ではなく、家族の重要なメンバーの一人と見られているので、多くのペットオーナーはお金を惜しまずペットに関する多様な用品を購入している。これは例えば、ペットフード、ペットウェア、ペットハウス、ペット清潔用品、ペット介護用品など、ペットによって健康的な食物や、楽しい遊具、安心できる寝具などである。
一方、ほとんどの猫は生まれつき爪を磨ぐ習慣があり、爪でカリカリと引っかくことにより、爪の表面の古い角質を剥がすが、爪とぎの対象が家の中の物（家具、電線、割れやすい物等）になると、それらの物が深刻な損害を受けるばかりでなく、命を脅かす可能性すらある。
【０００３】
現在、普通の猫爪とぎはペットに爪を磨かせる機能を提供する。しかし、普通の猫爪とぎは開放的な構造設計なので、猫が遊びながら落とした紙くずが部屋中に散らばって部屋を汚してしまうことがある。また、普通の猫爪とぎは猫の注意や興味を持続的に惹くことができないだけではなく、家の中の他の物に損害を与える。そのため、快適かつ安全な爪とぎであって、遊んだり、休憩や睡眠している間に、ペットオーナーが楽に掃除できるような設計が求められている。
【考案の概要】
【考案が解決しようとする課題】
【０００４】
本考案は上述した技術の問題を解決するために、新しい猫爪とぎ、すなわち嵌め継ぎ式猫爪とぎを提供しております。
【課題を解決するための手段】
【０００５】
上述した技術の問題を解決するために、本考案は嵌め継ぎ式猫爪とぎを提供する。
本考案の嵌め継ぎ式猫爪とぎは、基板を有し、基板は第一面と、第一面に対応する第二面と、ならびに第一面と第二面とを接合する、第一辺、第二辺、第三辺、および第四辺と、を備え、第一辺と第二辺が対応し、第三辺と第四辺が対応し、第一辺、第二辺、第三辺、および第四辺は複数の突出部分を備え、複数の側板を有し、複数の側板は第一面と、第一面に対応する第二面と、ならびに第一面と第二面を接合する、第一辺、第二辺、第三辺、および第四辺と、を備え、第一辺と第二辺が対応し、第三辺と第四辺が対応し、第三辺が第二辺と第四辺の両辺を接合し、第一辺には第一面から第二面に至る複数の溝穴を備え、第二辺と第四辺にはともに複数の突出部分を備え、複数の上の板を有し、複数の上の板は第一面と、第一面に対応する第二面と、ならびに第一面と第二面を接合する、第一辺、第二辺、第三辺、および第四辺と、を備え、第一辺が第二辺に対応し、第三辺が第四辺に対応し、第一辺、第二辺、および第三辺には第一面から第二面に至る複数の溝穴を備え、基板の第一辺と基板の第二辺の突出部分は側板の第一辺の溝穴に通され、側板の第二辺と側板の第四辺の突出部分はそれぞれ上の板の第二辺と上の板の第一辺の溝穴に通され、基板の第三辺と基板の第四辺の突出部分はそれぞれ上の板の第三辺の溝穴に通されることで、立体型が形成されている。
【０００６】
本考案はペットに爪の表面の古い角質を磨いで剥がさせることを目的とする。
【０００７】
本考案は中央集中式の構築設計であって、ペットの抜け毛や落とされた紙くずを中央に集中できることをもう一つの目的とする。そのため、ペットが嵌め継ぎ式の猫爪とぎの中にごろごろ転がったり、爪を磨いたりする時に、抜け毛や落とされた紙くずを中央に集中できるので、ペットオーナーは掃除機で簡単にクリーニングするだけで、部屋をきれいにすることができる。
【０００８】
本考案はペットに遊び、ストレス解消、休憩、睡眠のための場所を提供することをもう一つの目的とする。円弧状の設計なので、ペットが嵌め継ぎ式の猫爪とぎの中にゴロゴロ転がるうちに、揺れる感覚が生じる。それによって、ペットオーナーとペットの間に相互干渉が生じるだけでなく、ペットを安心させ、ストレスを解消させる効果もある。
【図面の簡単な説明】
【０００９】
【図１】本考案の嵌め継ぎ式猫爪とぎの各部品の正面略図。
【図２】本考案の嵌め継ぎ式猫爪とぎの各部品の裏面略図。
【図３】本考案の基板と側板の完成品の立体的な略図。
【図４】本考案の嵌め継ぎ式猫爪とぎの各部品の組立が完了した状態の略図。
【考案を実施するための形態】
【００１０】
添付の図面と具体的な実施例に基づいて詳細に説明する。以下の説明と実用新案登録請求の範囲に基づいて、本考案の長所と特徴が容易に理解される。実施時の便宜や説明の明確性を担保するため、添付の図面は簡略化されており、厳密な比率を使用するものではないことを付言する。
【００１１】
まず、図１と図２を同時に参考する。図１は本考案の嵌め継ぎ式猫爪とぎの各部品の正面略図であり、図２は本考案の嵌め継ぎ式猫爪とぎの各部品の裏面略図である。
図１および図２に示すように、本考案の嵌め継ぎ式猫爪とぎは、基板１１が第一面１１１と、第一面１１１に対応する第二面１１２と、第一面１１１と第二面１１２を接合する第一辺１１３、第二辺１１４、第三辺１１５、第四辺１１６を備え、第一辺１１３が第二辺１１４に対応し、第三辺１１５が第四辺１１６に対応し、第一辺１１３、第二辺１１４、第三辺１１５、第四辺１１６には複数の突出部分１１３１、１１４１、１１５１、１１６１を備える。
複数の側板１２は第一面１２１と、第一面１２１に対応する第二面１２２と、第一面１２１と第二面１２２を接合する第一辺１２３、第二辺１２４、第三辺１２５、第四辺１２６を備え、第一辺１２３が第二辺１２４に対応し、第三辺１２５が第四辺１２６に対応し、第三辺１２５が第二辺１２４と第四辺１２６に接合し、第一辺１２３に第一面１２１から第二面１２２に至る複数の溝穴１２３１を備え、第二辺１２４と第四辺１２６がともに複数の突出部分１２４１、１２６１を備える。
複数の上の板１３は第一面１３１と、第一面１３１に対応する第二面１３２と、第一面１３１と第二面１３２を接合する第一辺１３３、第二辺１３４、第三辺１３５、第四辺１３６とを備え、第一辺１３３が第二辺１３４に対応し、第三辺１３５が第四辺１３６に対応し、第一辺１３３と第二辺１３４と第三辺１３５が三つの辺の第一面１３１から第二面１３２に至る複数の溝穴１３３１、１３４１、１３５１を備える。
【００１２】
基板１１の第一辺１１３の長さと基板１１の第二辺１１４の長さは等しく、基板１１の第三辺１１５の長さと基板１１の第四辺１１６の長さは等しく、基板１１の第一辺１１３の長さは基板１１の第三辺１１５の長さより長く、基板１１の第一辺１１３の長さと側板１２の第一辺１２３の長さが等しく、基板１１の第一辺１１３と基板１１の第二辺１１４の両辺の突出部分１１３１、１１４１の数と側板１２の第一辺１２３の溝穴１２３１の数が等しく、基板１１の第三辺１１５と基板１１の第四辺１１６のその両辺の突出部分１１５１、１１６１の数と上の板１３の第三辺１３５の溝穴１３５１の数が等しく、側板１２の第二辺１２４と側板１２の第四辺１２６のその両辺の突出部分１２４１、１２６１の数と、上の板１３の第二辺１３４と上の板１３の第一辺１３３の溝穴１３４１、１３３１の数が等しい。
【００１３】
本考案の嵌め継ぎ式猫爪とぎにおいて、基板１１、側板１２、上の板１３の材質はダンボール紙が望ましいが、これに限られない。
【００１４】
本考案の嵌め継ぎ式猫爪とぎにおいて、基板１１の第一面１１１、側板１２の第一面１２１、上の板１３の第一面１３１は、波状表面かハニカム状の表面であるのが望ましいが、これに限られない。
【００１５】
本考案の嵌め継ぎ式猫爪とぎにおいて、突出部分１１３１、１１４１、１１５１、１１６１、１２４１、１２６１は円弧状、円錐形、または突出状が望ましいが、これに限られない。
【００１６】
本考案の嵌め継ぎ式猫爪とぎにおいて、側板１２の第一辺１２３は円弧状で、側板１２の第三辺１２５が内側が凹んだ円弧状であるのが望ましいが、これに限られない。
【００１７】
本考案の嵌め継ぎ式猫爪とぎにおいて、上の板１３の第四辺１３６は猫の足の裏の形であるのが望ましいが、これに限られない。
【００１８】
本考案の嵌め継ぎ式猫爪とぎにおいて、基板、側板、上の板を断ち切るのにステンレスブレードを用いるのが望ましい。
【００１９】
引き続き、図３を参考する。図３は本考案の基板と側板の組立の立体略図であり、図３に示すように、基板１１の第一辺１１３の突出部分１１３１は、側板１２の第一辺１２３の溝穴１２３１に通され、同じように基板１１の第二辺１１４の突出部分１１４１は、もう一個の側板１２の第一辺１２３の溝穴１２３１に通される。
【００２０】
引き続き、図４を参考する。図４は本考案嵌め継ぎ式猫爪とぎの各部品の組立が完了した略図であり、図４に示すように、全ての側板１２の第二辺１２４の突出部分１２４１は、上の板１３の第二辺１３４の溝穴１３４１に通され、基板１１の第三辺１１５の突出部分１１５１は、上の板１３の第三辺１３５の溝穴１３５１に通され、全ての側板１２の第四辺１２６の突出部分１２６１は上の板１３の第一辺１３３の溝穴１３３１に通され、基板１１の第四辺１１６の突出部分１１６１はもう一個の上の板１３の第三辺（１３５）の溝穴１３５１に通される。このように、基板１１、側板１２、上の板１３を組立てることによって、立体物が形成する。
【００２１】
本考案の嵌め継ぎ式猫爪とぎにおいて、側板１２の第一面１２１は相互に対向し、上の板１３の第一面１３１と基板１１の第一面１１１が対向する。
【００２２】
本考案の嵌め継ぎ式猫爪とぎにおいて、立体形は船の形であってもよいが、これに限られない。
【００２３】
以上、本考案のより良い実例を示したが、これに限られず、当業者はだれでも、本考案の精神と範囲を逸脱しない限り、適当に変更が可能である。本考案の保護範囲は、実用新案登録請求の範囲を基準に解釈される。
【符号の説明】
【００２４】
１        嵌め継ぎ式猫爪とぎ
１１      基板
１１１    第一面
１１２    第二面
１１３    第一辺
１１３１  突出部分
１１４    第二辺
１１４１  突出部分
１１５    第三辺
１１５１  突出部分
１１６    第四辺
１１６１  突出部分
１２      側板
１２１    第一面
１２２    第二面
１２３    第一辺
１２３１  溝穴
１２４    第二辺
１２４１  突出部分
１２５    第三辺
１２６    第四辺
１２６１  突出部分
１３      上の板
１３１    第一面
１３２    第二面
１３３    第一辺
１３３１  溝穴
１３４    第二辺
１３４１  溝穴
１３５    第三辺
１３５１  溝穴
１３６    第四辺
【図１】
0003206416.tif 000003
【図２】
0003206416.tif 000004
【図３】
0003206416.tif 000005
【図４】
0003206416.tif 000006